(57)【要約】【課題】リモート制御のための無線信号を送信可能か否かを判定する仕組みを備えた電子機器を提供する。【解決手段】パーソナルコンピュータ２ａは、ヘッドセット１からリモート制御信号を受信して動作する機能をもち、一方、パーソナルコンピュータ２ｂは、このリモート制御信号を受信する機能を持たない。ヘッドセット１は、利用者により何らかの遠隔操作が行われた時に、相手がリモート制御信号が受けられない場合には、そのリモート制御信号の送信を止めるとともに、相手がリモート制御信号を受けられないことが原因でその操作が無効になった旨をビープ音１の出力で利用者に報知する。また、リモート制御信号は送信したが、相手からそのリモート制御信号を受け付けることができない旨の返答を受けた場合は、誤操作が原因でその操作が無効になった旨をビープ音２の出力で利用者に報知する。【選択図】    図１
2004236162.tif 000002
【特許請求の範囲】
【請求項１】
他のデバイスと無線通信可能な電子機器において、
前記他のデバイスを遠隔操作するための操作手段と、
前記遠隔操作用の制御信号を送受信するための無線接続を前記他のデバイスとの間で確立する無線接続手段と、
前記操作手段が何らかの操作を受けた場合に、前記無線接続手段による無線接続の確立がなされているか否かを判定する判定手段と、
前記判定手段により前記無線接続による無線接続の確立がなされていないと判定された場合に、前記遠隔操作用の制御信号を送受信するための無線接続が前記他のデバイスとの間で確立されていないため、その操作が無効である旨を報知するエラー報知手段と
を具備することを特徴とする電子機器。
【請求項２】
前記エラー報知手段は、前記判定手段により前記無線接続による無線接続の確立がなされていると判定された結果、前記操作手段が受けた操作に対応する制御信号が送信された後、その制御信号が無効である旨の応答を前記他のデバイスから返された場合に、その操作が誤操作である旨を報知する手段をさらに有することを特徴とする請求項１記載の電子機器。
【請求項３】
前記エラー報知手段は、音声出力によって報知を行い、前記遠隔操作用の制御信号を送受信するための無線接続が前記他のデバイスとの間で確立されていないため、その操作が無効である旨を報知する場合と、その操作が誤操作である旨を報知する場合とで、その音声を変えることを特徴とする請求項２記載の電子機器。
【請求項４】
前記エラー報知手段は、前記音声としてビープ音を出力することを特徴とする請求項３記載の電子機器。
【請求項５】
前記エラー報知手段は、前記ビープ音の出力リズムを変えることを特徴とする請求項４記載の電子機器。
【請求項６】
他のデバイスと無線通信可能な電子機器であって、前記他のデバイスを遠隔操作するための操作手段と、前記遠隔操作用の制御信号を送受信するための無線接続を前記他のデバイスとの間で確立する無線接続手段とを有する電子機器のエラー報知方法であって、
前記操作手段が何らかの操作を受けた場合に、前記無線接続手段による無線接続の確立がなされているか否かを判定する判定ステップと、
前記判定ステップにより前記無線接続による無線接続の確立がなされていないと判定された場合に、前記遠隔操作用の制御信号を送受信するための無線接続が前記他のデバイスとの間で確立されていないため、その操作が無効である旨を報知するエラー報知ステップと
を具備することを特徴とする電子機器のエラー報知方法。
【請求項７】
前記エラー報知ステップは、前記判定ステップにより前記無線接続による無線接続の確立がなされていると判定された結果、前記操作手段が受けた操作に対応する制御信号が送信された後、その制御信号が無効である旨の応答を前記他のデバイスから返された場合に、その操作が誤操作である旨を報知するステップをさらに有することを特徴とする請求項６記載の電子機器のエラー報知方法。
【請求項８】
前記エラー報知ステップは、音声出力によって報知を行い、前記遠隔操作用の制御信号を送受信するための無線接続が前記他のデバイスとの間で確立されていないため、その操作が無効である旨を報知する場合と、その操作が誤操作である旨を報知する場合とで、その音声を変えることを特徴とする請求項７記載の電子機器のエラー報知方法。
【請求項９】
前記エラー報知ステップは、前記音声としてビープ音を出力することを特徴とする請求項８記載の電子機器のエラー報知方法。
【請求項１０】
前記エラー報知ステップは、前記ビープ音の出力リズムを変えることを特徴とする請求項９記載の電子機器のエラー報知方法。
【発明の詳細な説明】
【０００１】
【発明の属する技術分野】
本発明は、無線通信可能な電子機器および同機器のエラー報知方法に関する。
【０００２】
【従来の技術】
近年、無線通信技術としてＢｌｕｅｔｏｏｔｈ（Ｒ）が注目されている。このＢｌｕｅｔｏｏｔｈ（Ｒ）は、低価格、低消費電力で、モバイル機器に適した近距離の無線通信技術である。用途としては、ユーザ各個人個人が所有する様々なモバイル情報機器を相互に接続するために使われる。機器間は無線接続されるので、従来の有線による接続に比較して、自由、簡単、手軽に様々な機器同士を接続することができる。
【０００３】
そして、この無線通信を利用したモバイル情報機器の１つとして、携帯型音楽プレーヤとヘッドフォンとを無線接続するものが知られている（例えば、特許文献１参照）。Ｂｌｕｅｔｏｏｔｈ（Ｒ）に関する技術仕様は標準化されているため、各通信機器がＢｌｕｅｔｏｏｔｈ（Ｒ）標準に則った通信を行うことにより、異なるメーカー同士の機器でも相互に接続することができる。
【０００４】
Ｂｌｕｅｔｏｏｔｈ（Ｒ）の標準規格は、応用ごとにプロファイルと呼ばれる複数のパートに分けられており、ヘッドセットに関連するプロファイルとしては、Ａｄｖａｎｃｅｄ  Ａｕｄｉｏ  Ｄｉｓｔｒｉｂｕｔｉｏｎ  Ｐｒｏｆｉｌｅ（Ａ２ＤＰ）およびＡｕｄｉｏ  Ｖｉｄｅｏ  Ｒｅｍｏｔｅ  Ｃｏｎｔｒｏｌ  Ｐｒｏｆｉｌｅ（ＡＶＲＣＰ）がある。Ａ２ＤＰは、ヘッドセットを携帯音楽プレーヤなどと接続して音楽等のオーディオデータのストリーミング再生を行うための機能である。また、ＡＶＲＣＰは、携帯音楽プレーヤなどをリモート制御するための機能である。
【０００５】
【特許文献１】
特開２００２−１１２３８３号公報
【０００６】
【発明が解決しようとする課題】
ところで、現状では、すべての携帯音楽プレーヤがＡ２ＤＰおよびＡＶＲＣＰの双方の機能を備えている訳ではなく、携帯音楽プレーヤの中には、ＡＶＲＣＰの機能は持たず、Ａ２ＤＰの機能のみを備えるものも存在する。このタイプの携帯音楽プレーヤを利用する場合は、ヘッドセット側の操作で音楽再生の開始や停止を指示することができず、携帯音楽プレーヤ本体側の操作が必要となる。このような状況において、ヘッドセット側で何らかの操作が行われると、リモート制御用の無線信号が無駄に送信されるだけである。したがって、このような状況において何らかの操作が行われた場合には、リモート制御用の無線信号を無駄に送信することを防止し、かつ、その操作が無効である旨を例えばビープ音などで利用者に知らせることが望ましい。
【０００７】
また、ヘッドセットは、Ｂｌｕｅｔｏｏｔｈ（Ｒ）標準に則った通信を行うことが可能な機器であれば無線接続できるため、ある時はＣＤプレーヤ、またある時はＤＶＤプレーヤといったように、任意の組み合わせで利用することが可能である。そのため、ＣＤプレーヤとの無線接続時に、誤ってチャプタ選択などのＤＶＤ用の操作を行ってしまうことも考えられる。このような場合、ＣＤプレーヤからその信号を受け付けられない旨のエラーが返答されて、通常は、その操作が誤操作である旨を例えばビープ音などで利用者に知らせている。しかしながら、相手側がＡＶＲＣＰの機能を持たないために、その操作が無効である旨を同じくビープ音で知らせるようにした場合、どちらの原因で操作が失敗したのかを利用者は判断することができなくなるため、何らかの対処が必要である。
【０００８】
この発明は、このような事情を考慮してなされたものであり、リモート制御のための無線信号を送信可能か否かを判定する仕組みを備えた電子機器および同機器のエラー報知方法を提供することを目的とする。
【０００９】
【課題を解決するための手段】
前述した目的を達成するために、この発明は、他のデバイスと無線通信可能な電子機器において、前記他のデバイスを遠隔操作するための操作手段と、前記遠隔操作用の制御信号を送受信するための無線接続を前記他のデバイスとの間で確立する無線接続手段と、前記操作手段が何らかの操作を受けた場合に、前記無線接続手段による無線接続の確立がなされているか否かを判定する判定手段と、前記判定手段により前記無線接続による無線接続の確立がなされていないと判定された場合に、前記遠隔操作用の制御信号を送受信するための無線接続が前記他のデバイスとの間で確立されていないため、その操作が無効である旨を報知するエラー報知手段とを具備することを特徴とする。
【００１０】
また、この発明は、他のデバイスと無線通信可能な電子機器であって、前記他のデバイスを遠隔操作するための操作手段と、前記遠隔操作用の制御信号を送受信するための無線接続を前記他のデバイスとの間で確立する無線接続手段とを有する電子機器のエラー報知方法であって、前記操作手段が何らかの操作を受けた場合に、前記無線接続手段による無線接続の確立がなされているか否かを判定する判定ステップと、前記判定ステップにより前記無線接続による無線接続の確立がなされていないと判定された場合に、前記遠隔操作用の制御信号を送受信するための無線接続が前記他のデバイスとの間で確立されていないため、その操作が無効である旨を報知するエラー報知ステップとを具備することを特徴とする。
【００１１】
この発明においては、例えばヘッドセットとして実現される場合であって、携帯音楽プレーヤとして実現される他のデバイスに音楽再生の開始を指示する旨の操作が行われた場合、まず、その携帯音楽プレーヤとの間でリモート制御信号を無線信号で送受信するためのＡＶＲＣＰコネクションが確立されているかどうかを判定する。そして、確立されている場合には、その操作に対応するリモート制御信号を送信し、一方、確立されていない場合には、その操作に対応するリモート制御信号の送信を行うことなく、（ＡＶＲＣＰコネクションが確立されていないために）その操作が無効である旨の例えばビープ音を出力する。また、このビープ音は、（ＡＶＲＣＰコネクションは確立されているが）携帯音楽プレーヤからリモート制御信号が受け付け不可である旨を返答された場合のビープ音とは異なる音を使用する。
【００１２】
これにより、リモート制御用の無線信号を無駄に送信することが防止され、かつ、携帯音楽プレーヤとの無線接続の問題でその操作が無効である旨を誤操作の場合と区別しながら利用者に報知することを実現する。
【００１３】
【発明の実施の形態】
以下、図面を参照してこの発明の一実施形態を説明する。
【００１４】
図１には、この発明の実施形態に係る電子機器とそれを用いた無線通信システムが示されている。この電子機器（ヘッドセット）１は、無線通信機能付きのヘッドセット（スピーカおよびマイクロフォン）として実現されている。
【００１５】
このヘッドセット１は、例えばＢｌｕｅｔｏｏｔｈ（Ｒ）規格に準拠した無線通信を実行する。つまり、ヘッドセット１は、Ｂｌｕｅｔｏｏｔｈ（Ｒ）規格に準拠した無線通信機能を持つ様々な他の機器との間で通信することができる。Ｂｌｕｅｔｏｏｔｈ（Ｒ）規格においては、マスタとそれに無線接続された各スレーブとの間で無線通信を実行するというマスタ・スレーブ形式の無線通信方式が用いられる。そして、このヘッドセット１は、Ａｄｖａｎｃｅｄ  Ａｕｄｉｏ  Ｄｉｓｔｒｉｂｕｔｉｏｎ  Ｐｒｏｆｉｌｅ（Ａ２ＤＰ）のＳｉｎｋ機能およびＡｕｄｉｏ  Ｖｉｄｅｏ  Ｒｅｍｏｔｅ  Ｃｏｎｔｒｏｌ  Ｐｒｏｆｉｌｅ（ＡＶＲＣＰ）のＣＴ機能を有している。
【００１６】
Ａ２ＤＰのＳｉｎｋ機能は、音楽等のオーディオデータのストリーミング再生における転送先デバイスとしての機能であり、無線信号によって送られてくるオーディオデータのストリームを受信しながら再生するために用いられる。
【００１７】
また、ＡＶＲＣＰのＣＴ機能は、リモート制御における制御側デバイスとしての機能であり、無線信号によって被制御側デバイスに対してリモート制御信号を送信するために用いられる。
【００１８】
ここでは、ヘッドセット１が、Ａ２ＤＰのＳｏｕｒｃｅ機能およびＡＶＲＣＰのＴＧ機能の双方を有するパーソナルコンピュータ２ａと、Ａ２ＤＰのＳｏｕｒｃｅ機能のみを有するパーソナルコンピュータ２ｂとの無線通信を排他選択的に実行する場合を想定する。パーソナルコンピュータ２ａ，２ｂは、アンテナ２１を有する例えばノートブックタイプのポータブルコンピュータから構成されているものとする。
【００１９】
Ａ２ＤＰのＳｏｕｒｃｅ機能は、ストリーミング再生における転送元デバイスの機能であり、オーディオデータのストリームを無線信号によって送信するために用いられる。パーソナルコンピュータ２には、音楽プレーヤがアプリケーションプログラムとしてインストールされている。この音楽プレーヤは、ヘッドセット１との間に確立されたＡ２ＤＰのための無線接続（リンク）を通じで音楽データのストリーミング送信を実行する。
【００２０】
ＡＶＲＣＰのＴＧ機能は、リモート制御における被制御側デバイスとしての機能であり、無線信号によって制御側デバイスから送られてくるリモート制御信号に基づいて、例えばストリーミング再生の開始および停止、あるいは一時停止および再開などを実行する。
【００２１】
このヘッドセット１は、利用者の頭部に装着して使用されるものであり、アンテナ１１、スピーカユニット１２、マイクロホン１３および操作ボタン１４が設けられている。ＡＳＤＰコネクションを通じて、パーソナルコンピュータ２ａ，２ｂからストリーミング送信される音楽データは、アンテナ１１で受信され、いわゆるストリーム再生のためのデータ再生処理が施されてスピーカユニット１２から出力される。また、このヘッドセット１は、音声によるパーソナルコンピュータ２ａの遠隔操作が可能であり、マイクロホン１３を介した音声入力を操作ボタン１４の押下時のみ実行し、いわゆる音声認識処理を実行する。そして、何らかの操作に割り当てられた特定の語句が認識てきたら、ＡＶＲＣＰコネクションを通じて、その操作に対応するリモート制御信号をパーソナルコンピュータ２に向けてアンテナ１１から送信する。
【００２２】
次に、図２および図３を参照して、ヘッドセット１およびパーソナルコンピュータ２ａ，２ｂの構成を説明する。
【００２３】
図２には、ヘッドセット１の構成が示されている。
【００２４】
ヘッドセット１は、図示のように、図１に示したアンテナ１１、スピーカユニット１２、マイクロホン１３、操作ボタン１４の他、システム制御部１１１、メモリ１１２、無線通信デバイス１１３、音声入力部１１４、ミキサ１１５およびオーディオ・音声出力部１１６を備えている。
【００２５】
システム制御部１１１はヘッドセット１の動作を制御するために設けられたプロセッサであり、メモリ１１２に格納されたプログラムを実行することにより、無線通信デバイス１１３、音声入力部１１４、ミキサ１１５およびオーディオ・音声出力部１１６をそれぞれ制御する。また、システム制御部１１１には、前述した音声認識処理を行う音声認識部の他、ＡＶＲＣＰコネクションの確立有無をチェックするためのＡＶＲＣＰ接続検知部１１１ａが設けられている。
【００２６】
メモリ１１２は例えば不揮発性のメモリデバイスから構成されており、ここには、ヘッドセット１の動作を制御するためのプログラムが格納されている。このプログラムには、Ａ２ＤＰのＳｉｎｋ機能をシステム制御部１１１に実行させるためのルーチン、ＡＶＲＣＰのＣＴ機能をシステム制御部１１１に実行させるためのルーチンなどが含まれている。
【００２７】
無線通信デバイス１１３は、パーソナルコンピュータ２ａ，２ｂとの間の無線通信をＢｌｕｅｔｏｏｔｈ（Ｒ）の規格に準拠した手順で実行するデバイスであり、ベースバンド処理部およびＲＦ部を備えている。この無線通信デバイス１１３は、パーソナルコンピュータ２ａ，２ｂから無線信号によって送信される音楽等のオーディオデータを受信したり、リモート制御信号を無線信号によってパーソナルコンピュータ２ａに送信するために用いられる。
【００２８】
音声入力部１１４は、マイクロフォン１１７を介して入力されるユーザ４の音声をアナログ信号からディジタル信号に変換して、システム制御部１１１に送信する。また、ミキサ１１５は、パーソナルコンピュータ２ａ，２ｂから送信される音楽等のオーディオデータと、システム制御部１１１が生成する各種報知用のビープ音とをミキシングする回路である。
【００２９】
オーディオ・音声出力部１１６は、パーソナルコンピュータ２ａ，２ｂから送信される音楽等のオーディオデータのストリームを無線通信デバイス１１３、システム制御部１１１およびミキサ１１５を介して受信しながら、それをスピーカユニット１２から音として出力可能な電気信号に変換するデータ再生処理を実行する。また、オーディオ・音声出力部１１６は、ミキサ１１５によって得られるオーディオデータとビープ音との混合信号をスピーカユニット１２から音として出力する処理も実行する。
【００３０】
図３には、パーソナルコンピュータ２ａ，２ｂの構成が示されている。ここでは、ヘッドセット１との通信に関係する構成についてのみ説明する。
【００３１】
パーソナルコンピュータ２ａ，２ｂは、図示のように、図１に示したアンテナ２１の他、システム制御部２１１、メモリ２１２、無線通信デバイス２１３、オーディオデータ再生部２１４、記憶装置２１５およびユーザインタフェース２１６を備えている。
【００３２】
システム制御部２１１はパーソナルコンピュータ２ａ，２ｂの動作を制御するために設けられたプロセッサであり、メモリ２１２に格納されたプログラムを実行することにより、無線通信デバイス２１３、オーディオデータ再生部２１４等をそれぞれ制御する。
【００３３】
メモリ２１２には、パーソナルコンピュータ２ａ，２ｂの動作を制御するためのプログラムが格納されている。このプログラムには、パーソナルコンピュータ２ａでは、Ａ２ＤＰのＳｏｕｒｃｅ機能をシステム制御部２１１に実行させるためのルーチンおよびＡＶＲＣＰのＴＧ機能をシステム制御部２１１に実行させるためのルーチンが含まれており、一方、パーソナルコンピュータ２ｂでは、Ａ２ＤＰのＳｏｕｒｃｅ機能をシステム制御部２１１に実行させるためのルーチンが含まれている。
【００３４】
無線通信デバイス２１３は、ヘッドセット１との間の無線通信をＢｌｕｅｔｏｏｔｈ（Ｒ）の規格に準拠した手順で実行するデバイスであり、ベースバンド処理部およびＲＦ部を備えている。この無線通信デバイス２１３は、音楽等のオーディオデータを無線信号によってヘッドセット１に送信したり、（パーソナルコンピュータ２ａの場合）ヘッドセット１から無線信号によって送信されるリモート制御信号を受信するために用いられる。
【００３５】
オーディオデータ再生部２１４は、ヘッドセット１にストリーム再生させるべき音楽等のオーディオデータのストリームを記憶装置２１４から読み出し、それをシステム制御部２１１に送信する。
【００３６】
ユーザインタフェース２１６は、例えばディスプレイモニタ、キーボード、ポインティングデバイス等から構成されており、ユーザ４に例えば再生すべきオーディオデータを選択させたり、オーディオデータの再生開始・停止等を指示させるために用いられる。
【００３７】
以上のような構成をもつヘッドセット１とパーソナルコンピュータ２ａとが無線接続されると、ヘッドセット１は、Ａ２ＤＰコネクションを通じて、パーソナルコンピュータ２ａからストリーミング送信される音楽データを受信することができ、また、ＡＶＲＣＰコネクションを通じて、パーソナルコンピュータ２ａにリモート制御信号を送信することができる。一方、ヘッドセット１とパーソナルコンピュータ２ｂとが無線接続された場合には、ヘッドセット１は、Ａ２ＤＰコネクションを通じて、パーソナルコンピュータ２ｂからストリーミング送信される音楽データを受信することはできるが、パーソナルコンピュータ２ｂにリモート制御信号を送信したとしても、それをパーソナルコンピュータ２ｂが受信することはできない。
【００３８】
つまり、この場合、ヘッドセット１の操作ボタン１４を押下して、マイクロホン１３に所望の操作に対応する単語を発声する行為およびパーソナルコンピュータ２ｂにリモート制御信号を送信する行為は、全くの無駄となってしまう。そこで、このヘッドセット１では、このような場合に、システム制御部１１１が、まず、ＡＶＲＣＰ接続検知部１１１ａによってＡＶＲＣＰコネクションが確立されているかどうかを調べる。そして、確立されていなければ、システム制御部１１１は、リモート制御信号の送信を止めて、ＡＶＲＣＰコネクションの未確立が原因で遠隔操作が無効である旨を例えばビープ音で利用者に報知する。
【００３９】
また、パーソナルコンピュータ２ａにリモート制御信号を送信した後、このパーソナルコンピュータ２ａからそのリモート制御信号を受け付けられない旨が返答された場合、つまり、ＡＶＲＣＰコネクションの未確立が原因ではなく、誤操作が原因でその操作が無効である場合と利用者が区別できるように、システム制御部１１１は、誤操作が原因の場合とは異なる音で、ＡＶＲＣＰコネクションの未確立が原因の場合のビープ音を出力する。
【００４０】
図４は、このヘッドセット１が実行する遠隔制御時におけるエラー報知の流れを示すフローチャートである。
【００４１】
ヘッドセット１は、操作ボタン１４の押下およびマイクロホン１３への発声による何らかの遠隔操作が行われると（ステップＳ１のＹＥＳ）、まず、ＡＶＲＣＰコネクションが確立されているかどうかを調べる（ステップＳ１）。もし、確立されていなければ（ステップＳ２のＮＯ）、ヘッドセット１は、第１のビープ音（ビープ音１）を出力する（ステップＳ３）。この時、ヘッドセット１は、リモート制御信号の送信を行わないため、利用者が希望する遠隔操作が行われることがないが、利用者は、ビープ音１を聞いているので、ＡＶＲＣＰコネクションの未確立が原因でその操作が無効であったことを認識できる。
【００４２】
一方、ＡＶＲＣＰコネクションが確立されていた場合には（ステップＳ２のＹＥＳ）、ヘッドセット１は、ＡＶＲＣＰコネクションを通じて、その操作に対応するリモート制御信号の送信を実行する（ステップＳ４）。もし、このリモート制御信号が有効であれば（ステップＳ５のＹＥＳ）、そのリモート制御信号に基づく処理が実行される（ステップＳ６）。逆に、そのリモート制御信号が有効でなければ（ステップＳ５のＮＯ）、エラー信号が返送されることになる（ステップＳ７）。そして、このエラー信号が返送されると、ヘッドセット２は、第２のビープ音（ビープ音２）を出力する（ステップＳ８）。この時には、リモート制御信号の送信は行われるものの、利用者が希望する遠隔操作が行われることがないが、利用者は、ビープ音２を聞いているので、誤操作が原因でその操作が無効であったことを認識できる。
【００４３】
以上のように、本実施形態によれば、リモート制御信号を無駄に送信することが防止され、かつ、携帯音楽プレーヤとの無線接続の問題でその操作が無効である旨を誤操作の場合と区別しながら利用者に報知することが実現される。
【００４４】
なお、前述した実施形態では、ビープ音を変えることによって２つの原因を区別できるようにする例を説明したが、音を変えるのではなく、その出力リズムを変えるようにしても良い。
【００４５】
また、前述した実施形態では、ヘッドセット１を装着した利用者が特定の語句を発声することによって遠隔操作を行う例を説明したが、操作ボタン１４の操作をもって遠隔操作が行われたものと扱っても当然に構わない。
【００４６】
つまり、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４７】
【発明の効果】
以上のように、この発明によれば、リモート制御のための無線信号を送信可能か否かを判定する仕組みを備えた電子機器および同機器のエラー報知方法を提供することができる。
【図面の簡単な説明】
【図１】本発明の一実施形態に係る電子機器を用いた無線通信システムを示すブロック図。
【図２】図１の無線通信システムで用いられるヘッドセットの構成を示すブロック図。
【図３】図１の無線通信システムで用いられるパーソナルコンピュータの構成を示すブロック図。
【図４】同実施形態の入門管理システムで表示される訪問場所指定画面を示す図。
【符号の説明】
１…ヘッドセット、２ａ，２ｂ…パーソナルコンピュータ、１１…アンテナ、１２…スピーカユニット、１３…マイクロホン、１４…操作ボタン、２１…アンテナ、１１１…システム制御部、１１１ａ…ＡＶＲＣＰ接続検知部、１１２…メモリ、１１３…無線通信デバイス、１１４…音声入力部、１１５…ミキサ、１１６…オーディオ・音声出力部、２１１…システム制御部、２１２…メモリ、２１３…無線通信デバイス、２１４…オーディオデータ再生部、２１５…記憶装置、２１６…ユーザインタフェース。
【図１】
2004236162.tif 000003
【図２】
2004236162.tif 000004
【図３】
2004236162.tif 000005
【図４】
2004236162.tif 000006